(57)【要約】【課題】冷暖房装置や分散型電源用原動機から放出される二酸化炭素を含む排気ガスを、緑化設備を初めとする植物育生設備に効果的に供給して、環境汚染を抑制し、かつ、植物の育生を促すことのできる排気ガス供給植物育生システムを提供する。【解決手段】冷暖房装置１や分散型電源用原動機２から排出される排気ガスに含まれる二酸化炭素および排熱を、閉鎖型の植物育生設備３に供給するシステムであって、冷暖房装置１や分散型電源用原動機２から延出された排気ダクト４を、排気ガス中に含まれる植物に有害な物質を除去するガス清浄装置５を介して、植物育生設備３に接続する。【選択図】        図３
2005218327.tif 000002
【特許請求の範囲】
【請求項１】
冷暖房装置（１）や分散型電源用原動機（２）から排出される排気ガスに含まれる二酸化炭素および排熱を，閉鎖型の植物育生設備（３）に供給するシステムであって、前記冷暖房装置や分散型電源用原動機から延出された排気ダクト（４）を，前記排気ガス中に含まれる植物に有害な物質を除去するガス清浄装置（５）を介して，前記植物育生設備に接続してなる排気ガス供給植物育生システム。
【請求項２】
冷暖房装置（１）や分散型電源用原動機（２）から排出される排気ガスに含まれる二酸化炭素および排熱を，閉鎖型の植物育生設備（３）に供給するシステムであって、前記冷暖房装置や分散型電源用原動機から延出された排気ダクト（４）を，前記排気ガス中に含まれる植物に有害な物質を除去するガス清浄装置５を介して，前記植物育生設備に接続してなり、前記ガス清浄装置を，アンモニアタンク（７）に連結した混合機ユニット（６）と，触媒ユニット（８）と，酸素タンク（１０）に連結した脱酸ユニット（９）とで構成してなる排気ガス供給植物育生システム。
【発明の詳細な説明】
【技術分野】
【０００１】
本発明は、建物の冷暖房装置や分散型電源用原動機から排出される排気ガスを、ガス清浄装置を介して、閉鎖型の植物育生設備に供給する排気ガス供給植物育生システムに関するものである。
【背景技術】
【０００２】
従来、図１に示すように、建物Ｂの冷暖房装置１からは、大量の二酸化炭素と排熱が大気中に放出されている。また、近年では、電力市場の自由化に伴い、図２に示すように、ディーゼルエンジン、ガスエンジンあるいはガスタービンといった分散型電源用原動機２による発電が多くの工場やホテル等で行われており、その原動機２からも大量の二酸化炭素と排熱が放出されている。
【０００３】
この大気中に大量に放出される二酸化炭素等の影響で、ヒートアイランド現象等の環境汚染が進んでおり、近年、これを抑制するために、建物Ｂの屋上に草木を繁茂させる緑化設備２０を設けるといった方策が講じられている。
【発明の開示】
【発明が解決しようとする課題】
【０００４】
しかし、一旦、大気中に放出された二酸化炭素は、大気の流れに従って長い時間対流し、その後、その一部が緑化設備２０の植物に吸収されるのであり、大部分は大気中に残存し、これが環境汚染の原因となる。
【０００５】
本発明は、こうした点に鑑み創案されたもので、冷暖房装置や分散型電源用原動機から放出される二酸化炭素を含む排気ガスを、緑化設備を初めとする植物育生設備に効果的に供給して、環境汚染を抑制し、かつ、植物の育生を促すことのできる排気ガス供給植物育生システムを提供することを課題とする。
【課題を解決するための手段】
【０００６】
図３乃至図６を参照して説明する。請求項１に記載の発明に係る排気ガス供給植物育生システムは、冷暖房装置１や分散型電源用原動機２から排出される排気ガスに含まれる二酸化炭素および排熱を、閉鎖型の植物育生設備３に供給するシステムであって、前記冷暖房装置１や分散型電源用原動機２から延出された排気ダクト４を、前記排気ガス中に含まれる植物に有害な物質を除去するガス清浄装置５を介して、前記植物育生設備３に接続してなるものである。
【０００７】
なお、閉鎖型の植物育生設備３とは、いわゆる温室のことであり、屋根と周壁をガラスやビニール等で覆い、換気装置を設けた設備を言う。
【０００８】
請求項２に記載の発明に係る排気ガス供給植物育生システムは、冷暖房装置１や分散型電源用原動機２から排出される排気ガスに含まれる二酸化炭素および排熱を、閉鎖型の植物育生設備３に供給するシステムであって、前記冷暖房装置１や分散型電源用原動機２から延出された排気ダクト４を、前記排気ガス中に含まれる植物に有害な物質を除去するガス清浄装置５を介して、前記植物育生設備３に接続してなり、前記ガス清浄装置５を、アンモニアタンク７に連結した混合機ユニット６と、触媒ユニット８と、酸素タンク１０に連結した脱酸ユニット９とで構成してなるものである。
【０００９】
請求項１に記載の発明は、冷暖房装置１や分散型電源用原動機２から延出された排気ダクト４を、排気ガス中に含まれる植物に有害な物質を除去するガス清浄装置５を介して、閉鎖型の植物育生設備３に接続しているので、冷暖房装置１等から排出される排気ガス中の二酸化炭素と排熱を、大気中に放出することなく、直接、植物育生設備３に供給することができる。これにより、植物の生育を促すことができると共に、環境汚染を抑制することができる。
【００１０】
請求項２に記載の発明は、ガス清浄装置５を、アンモニアタンク７に連結した混合機ユニット６と、触媒ユニット８と、酸素タンク１０に連結した脱酸ユニット９とで構成しているので、排気ガスに含まれる植物に有害な物質を効果的に除去し、植物の生育に必要な二酸化炭素を植物育生設備３に効果的に供給することができる。
【００１１】
すなわち、排気ガスを、高温下における混合機ユニット６でアンモニアガスと化合させて、それに含まれる窒素酸化物（ＮＯＸ）をアンモニアと二酸化炭素に分解する。次に、触媒ユニット８において、窒素ガスと水に分解する。そして、脱酸ユニット９において酸素と接触させ、それに含まれるエチレンガス（Ｃ２Ｈ４）を二酸化炭素と水に分解する。こうして、有害物質を除去し、二酸化炭素を植物育生設備３に供給する。
【発明を実施するための最良の形態】
【００１２】
本発明に係る排気ガス供給植物育生システムの第一実施形態を、図３および図４に示す。これは、建物Ｂの冷暖房装置１から排出される排気ガスに含まれる二酸化炭素および排熱を、当該建物Ｂの屋上に設けた閉鎖型の植物育生設備３に供給するシステムである。この植物育生設備３は、草木を繁茂させた緑化設備である。
【００１３】
このシステムは、冷暖房装置１から延出された排気ダクト４を、ガス清浄装置５を介して、植物育生設備３に接続している。ガス清浄装置５は、排気ガス中に含まれる植物に有害な物質を除去するはたらきを行うもので、アンモニアタンク７に連結した混合機ユニット６と、触媒ユニット８と、酸素タンク１０に連結した脱酸ユニット９とで構成される。
【００１４】
当該排気ガス供給植物育生システムは、冷暖房装置１から排出される排気ガスを、ガス清浄装置５によって植物の生育に有害な物質を除去し、植物の生育に必要な二酸化炭素を植物育生設備３に供給するので、植物の生育を効果的に促すことができる。
【００１５】
すなわち、冷暖房装置１から排出される排気ガスを、高温下において、混合機ユニット６でアンモニアタンク７から供給されるアンモニアガスと化合させて、それに含まれる窒素酸化物（ＮＯＸ）をアンモニアと二酸化炭素に分解する。次に、続く触媒ユニット８において、窒素ガスと水に分解する。そしてさらに、脱酸ユニット９において酸素と接触させ、エチレンガス（Ｃ２Ｈ４）を二酸化炭素と水（Ｈ２Ｏ）に分解する。こうすることによって、排気ガスから有害物質を除去し、植物に有益な二酸化炭素を植物育生設備３に供給する。
【００１６】
また、このシステムは、冷暖房装置１から排出される排気ガスをそのまま大気中に放出するのではなく、植物育生設備３を通して放出するので、放出される二酸化炭素の量を大幅に削減することができる。従って、環境汚染を抑制することができる。
【００１７】
本発明に係る排気ガス供給植物育生システムの第二実施形態を、図５および図６に示す。このシステムの特徴は、分散型電源用原動機２から排出される排気ガスを利用していることである。当該原動機２から排出される排気ガスは、通常、１５０℃以上の高温であるため、そのまま閉鎖型の植物育生設備３に供給することはできない。そのため、ガス清浄装置５に熱交換器１１を加え、当該熱交換器１１で５０℃以下の適温まで下げた後、植物育生設備３に供給する。これにより、植物の生育をより促進することができる。
【００１８】
なお、冷暖房装置１から排出される排気ガスを利用したシステム（図３）に、熱交換器１１を備えたガス清浄装置５（図６）を加えると、当該熱交換器１１によって、排熱を植物の生育に必要な温度に設定した後、植物育生設備３に供給することができる。従って、植物の育生をさらに促すことができる。
【産業上の利用可能性】
【００１９】
本発明に係る排気ガス供給植物育生システムは、緑化を目的とする草木の育生のみでなく、メロンやトマト等といった農産品の周年栽培にも適用することができる。
【図面の簡単な説明】
【００２０】
【図１】従来の冷暖房装置から排出される排気ガスの放出手段を示す正面構成図である。
【図２】従来の分散型電源用原動機から排出される排気ガスの放出手段を示す正面構成図である。
【図３】本発明の第一実施形態に係る排気ガス供給植物育生システムを示す正面構成図である。
【図４】図３に示すシステムに使用されるガス清浄装置を示す構成図である。
【図５】本発明の第二実施形態に係る排気ガス供給植物育生システムを示す正面構成図である。
【図６】図５に示すシステムに使用されるガス清浄装置を示す構成図である。
【符号の説明】
【００２１】
１      冷暖房装置
２      分散型電源用原動機
３      閉鎖型の植物育生設備
４      排気ダクト
５      ガス清浄装置
６      混合機ユニット
７      アンモニアタンク
８      触媒ユニット
９      脱酸ユニット
１０    酸素タンク
１１    熱交換器
２０    緑化設備
Ｂ      建物
【図１】
2005218327.tif 000003
【図２】
2005218327.tif 000004
【図３】
2005218327.tif 000005
【図４】
2005218327.tif 000006
【図５】
2005218327.tif 000007
【図６】
2005218327.tif 000008